(57)【要約】【課題】  食品、飲料、化粧品等を収納するとともに、外観上の美観を損ねることのない係合手段によって収容部と蓋体とを係合する包装用箱を提供する。【解決手段】上方が開口し、各辺の上端に所定厚みの縁部を備える収容部と、前記開口を覆うよう前記収容部に回動自在に取り付けられる蓋体とを備えてなり、前記蓋体は、外天板と蓋体外側板とが略Ｌ字状となるよう構成され、前記外天板に対して間隙を有した状態で二重構造となるよう内天板が設けられるとともに、前記蓋体外側板に近接するよう前記内天板の一端部を前記外天板に設置し、前記一端部と前記蓋体外側板との間に係合段部を形成し、前記蓋体の回動時に前記縁部と前記内天板が当接するとともに、前記縁部にて前記内天板を押圧して弾性変形させ、前記縁部を前記係合段部に係合させることを特徴とする包装用箱。【選択図】  図１
2014118158.tif 000002
【特許請求の範囲】
【請求項１】
上方が開口し、各辺の上端に所定厚みの縁部を備える収容部と、
前記開口を覆うよう前記収容部に回動自在に取り付けられる蓋体とを備えてなり、
前記蓋体は、外天板と蓋体外側板とが略Ｌ字状となるよう構成され、
前記外天板に対して間隙を有した状態で二重構造となるよう内天板が設けられるとともに、前記蓋体外側板に近接するよう前記内天板の一端部を前記外天板に設置し、前記一端部と前記蓋体外側板との間に係合段部を形成し、
前記蓋体の回動時に前記縁部と前記内天板が当接するとともに、前記縁部にて前記内天板を押圧して弾性変形させ、前記縁部を前記係合段部に係合させることを特徴とする包装用箱。
【請求項２】
前記内天板は、少なくとも傾斜片を備えてなり、
前記傾斜片の一端部を前記外天板に設置し、前記傾斜片の前記一端部と前記蓋体外側板との間に係合段部を形成し、
前記傾斜片の他端部の回動軌跡上に前記縁部が位置する請求項１に記載の包装用箱。
【請求項３】
前記係合段部の幅寸法は、前記縁部の幅寸法と略同等とされる請求項１又は請求項２に記載の包装用箱。
【請求項４】
前記蓋体は、前記外天板の両端に設けられる蓋体側板を介して略Ｌ字状に支持されるとともに、前記内天板と前記蓋体側板との間に前記係合段部と係合する前記縁部に隣接する縁部を収容する縁部収容空間が夫々設けられる請求項１から請求項３のいずれか１項に記載の包装用箱。
【請求項５】
前記蓋体は第１蓋体と第２蓋体とから構成され、夫々が対向するよう前記収容部に取り付けられる請求項１から請求項４のいずれか１項に記載の包装用箱。
【請求項６】
前記第１蓋体又は前記第２蓋体のいずれか一方の前記外天板と内天板との間に重合片が設けられる請求項５に記載の包装用箱。
【発明の詳細な説明】
【技術分野】
【０００１】
本発明は、食品、飲料、化粧品等を収納する包装用箱に関するものである。
【背景技術】
【０００２】
従来より、収容部と蓋体とを別体に形成し、収容部より大きく形成した蓋体を収容部の上方より被せる構造の包装用箱が公知である。しかしながら、当該包装用箱においては、美観性に乏しい、又は収容物との調和が取れないといった問題点があった。
【０００３】
当該問題点を解決する為に、上面が開口した収容部と、開口部を覆う少なくとも一枚の合成樹脂製蓋体により構成し、蓋体の両側に開閉用の回転軸とストッパを突出形成し、回転軸を収容部に設けた軸受孔に弾性的に係合させて開閉自在とし、蓋体の開閉時におけるストッパの回動軌跡と対接する位置にストッパ係止用孔を設けた包装用箱が公知である（特許文献１参照）。
【０００４】
これにより、蓋体を回転軸を介して回動させ、収容部の開口部を覆うものである。そして、蓋体閉鎖時には、蓋体側板内面に突出形成したストッパと収容部側板とが圧接し、蓋体のぐらつきを防止するものである。また、蓋体のストッパが収容部に設けた係止孔に嵌合するまで蓋体を回動させ、蓋体を開状態で保持することができるものである。
【先行技術文献】
【特許文献】
【０００５】
【特許文献１】公開実用昭６４−９１５６号
【発明の概要】
【発明が解決しようとする課題】
【０００６】
しかしながら、上記構造では、蓋体の閉状態において保持されないことから、収容部に対して蓋体が容易に開状態となるものである。よって、開口部が下方に位置した状態では収容物が落下してしまうものであった。
【０００７】
これに際して、従来から収容部と蓋体を固定する為にテープやシールを貼ったり、紐やリボン等で縛ったりすることが行われていたが、これらはいずれも外観上の体裁が悪くなるといった問題が生じていた。
【０００８】
そこで、本発明はこのような問題点を解決するものであって、食品、飲料、化粧品等を収納するとともに、外観上の美観を損ねることのない係合手段によって収容部と蓋体とを係合する包装用箱を提供することを課題とする。
【課題を解決するための手段】
【０００９】
前記問題点を解決するために、本発明の請求項１に記載の包装用箱は、上方が開口し、各辺の上端に所定厚みの縁部を備える収容部と、前記開口を覆うよう前記収容部に回動自在に取り付けられる蓋体とを備えてなり、前記蓋体は、外天板と蓋体外側板とが略Ｌ字状となるよう構成され、前記外天板に対して間隙を有した状態で二重構造となるよう内天板が設けられるとともに、前記蓋体外側板に近接するよう前記内天板の一端部を前記外天板に設置し、前記一端部と前記蓋体外側板との間に係合段部を形成し、前記蓋体の回動時に前記縁部と前記内天板が当接するとともに、前記縁部にて前記内天板を押圧して弾性変形させ、前記縁部を前記係合段部に係合させることを特徴とするものである。
【００１０】
また、本発明の請求項２に記載の包装用箱は、請求項１に記載の包装用箱において、前記内天板は、少なくとも傾斜片を備えてなり、前記傾斜片の一端部を前記外天板に設置し、前記傾斜片の前記一端部と前記蓋体外側板との間に係合段部を形成し、前記傾斜片の他端部の回動軌跡上に前記縁部が位置するものである。
【００１１】
また、本発明の請求項３に記載の包装用箱は、請求項１又は請求項２に記載の包装用箱において、前記係合段部の幅寸法は、前記縁部の幅寸法と略同等とされるものである。
【００１２】
また、本発明の請求項４に記載の包装用箱は、請求項１から請求項３のいずれか１項に記載の包装用箱において、前記蓋体は、前記外天板の両端に設けられる蓋体側板を介して略Ｌ字状に支持されるとともに、前記内天板と前記蓋体側板との間に前記係合段部と係合する前記縁部に隣接する縁部を収容する縁部収容空間が夫々設けられるものである。
【００１３】
また、本発明の請求項５に記載の包装用箱は、請求項１から請求項４のいずれか１項に記載の包装用箱において、前記蓋体は第１蓋体と第２蓋体とから構成され、夫々が対向するよう前記収容部に取り付けられるものである。
【００１４】
また、本発明の請求項６に記載の包装用箱は、請求項５に記載の包装用箱において、前記第１蓋体又は前記第２蓋体のいずれか一方の前記外天板と内天板との間に重合片が設けられるものである。
【発明の効果】
【００１５】
本発明の包装用箱では、収容部の縁部と係合する係合段部を蓋体の内側面に設けたことから、蓋体の閉状態では両者が係合しており、収容部に対して蓋体が容易に開状態となる虞がなくなる。また、当該係合段部を蓋体の内側面に設けたことから、外観上の美観を向上させた包装用箱とすることができる。
【００１６】
更に、蓋体の内側面において、係合段部に至るまでにおいては、外天板に対して内天板を間隙を有した状態で設けられていることから、蓋体を回動させる操作と、当該状態から一定以上の作用力を付与して蓋体を閉める操作との二つの操作をもって、蓋体の閉状態とするものとなる。よって、当該二つの操作からユーザは確実に蓋体が閉じられたとの認識を得ることができるものである。
【図面の簡単な説明】
【００１７】
【図１】本発明の実施例における包装用箱の一方の蓋体を開いた状態の斜視図である。
【図２】本発明の実施例における包装用箱の収容部を展開した状態の表面図である。
【図３】本発明の実施例における包装用箱の一方の蓋体を展開した状態の表面図である。
【図４】本発明の実施例における包装用箱の他方の蓋体を展開した状態の表面図である。
【図５】本発明の実施例における包装用箱の図１のＡ−Ａ断面図である。
【図６】本発明の実施例における別実施例の包装用箱の蓋体を開いた状態の斜視図である。
【図７】本発明の実施例における別実施例の包装用箱の蓋体を閉じた状態の斜視図である。
【発明を実施するための形態】
【００１８】
以下、本発明の実施の形態における包装用箱を図面に基づいて説明する。当該包装用箱において、蓋体が設けられる側を当該箱の上方とし、底板が設けられる側を当該箱の下方とする。また、展開図において、縦方向を上下とし、横方向を左右とする。
【実施例１】
【００１９】
本発明に係る包装用箱は、図１から図５に示すように、一枚の紙材から組み立てられる収容部と、一枚の紙材から組み立てられる蓋体とから構成される。具体的には、収容部に対して二つの蓋体が取り付けられる、いわゆる観音開き状に構成される包装用箱であって、蓋体に設けられる係合手段が収容部の縁部と係合することにより、蓋体の閉状態を維持することができるものである。
【００２０】
すなわち、収容部は四辺に係合手段となる所定の厚みを有する縁部を備えてなり、蓋体にはその内側面に当該縁部と係合し得る係合段部を備えてなる。
【００２１】
収容部は、図２に示すように、展開した状態において、略四角状の底板２から外側板を構成する第１外側板３、第２外側板４、第３外側板５及び第４外側板６が四方に連接している。尚、本実施例においては、底板２の右側に第１外側板３、左側に第２外側板４、上側に第３外側板５、下側に第４外側板６が連接している。
【００２２】
第１外側板３、第２外側板４、第３外側板５及び第４外側板６は、底板２の各辺に対して略同一寸法の辺部を有して形成される。第１外側板３は、第２外側板４と対向して略同一形状に形成される。また、第３外側板５は、第４外側板６と対向して略同一形状に形成される。各外側板は、収容部の外周面を構成するものである。
【００２３】
また、第１外側板３、第２外側板４、第３外側板５及び第４外側板６の外側方向には、夫々第１縁部７、第２縁部８、第３縁部９及び第４縁部１０が形成される。各縁部は、所定の厚みを有することで蓋体と係合し得る係合手段となる。
【００２４】
更に、第１縁部７、第２縁部８、第３縁部９及び第４縁部１０の外側方向には、夫々第１内側板１１、第２内側板１２、第３内側板１３及び第４内側板１４が形成される。各内側板は、各縁部より折り返され、収容部の内周面を構成するものである。
【００２５】
また、第１内側板１１、第２内側板１２、第３内側板１３及び第４内側板１４の外側方向には、夫々第１重合底板１５、第２重合底板１６、第３重合底板１７及び第４重合底板１８が形成される。各重合底板は、各内側板より折り返され、収容部の底板２と重合するものである。
【００２６】
そして、各重合底板と各内側板との境界には、切り込みを介して支持片１９が複数箇所に形成される。当該支持片１９は、各内側板側に向けて各縁部と略同等寸法を有して形成され、各側板の下端部を支持するものである。
【００２７】
更に、第３内側板１３の左右方向には、第１係合側板２０が夫々形成され、第４内側板１４の左右方向には、第２係合側板２１が夫々形成される。第１係合側板２０と第２係合側板２１には、相互に係合し得るよう切込部２２が形成されており、当該切込部２２が係合した状態で第１外側板３と第１内側板１１の間隙、第２外側板４と第２内側板１２の間隙に収容され、当該側板を補強するものである。特に、長辺となる側板の補強の為に設けることが望ましく、第１係合側板２０及び第２係合側板２１は、切込部２２が係合した状態で第１外側板３、第２外側板４の長さ寸法と略同等となるよう形成される。
【００２８】
また、各外側板を連結するようにして折返片２３が形成され、当該折返片２３を略二等分に折曲した状態で第１外側板３と第１内側板１１の間隙、第２外側板４と第２内側板１２の間隙に収容され、当該側板の隅部を補強するものである。特に、長辺となる側板の補強の為に設けることが望ましい。
【００２９】
このようにして、展開図が形成される収容部は、底板２に対して各外側板を折曲させるとともに、第３縁部９及び第４縁部１０を介して第３内側板１３及び第４内側板１４を折り返し、第１係合側板２０と第２係合側板２１とを係合させた状態とする。このとき、支持片１９にて側板の下端部を支持した状態で、第３重合底板１７及び第４重合側板１８は底板２に重合される。
【００３０】
そして、折返片２３を略二等分に折曲し、これを第１係合側板２０と第２係合側板２１の外側方向に配置させるとともに、第１縁部７及び第２縁部８を介して第１内側板１１及び第２内側板１２を折り返した状態とする。
【００３１】
そして、第１外側板３と第１内側板１１の間隙、第２外側板４と第２内側板１２の間隙に折返片２３及び係合した第１係合側板２０と第２係合側板２１を収容し、第１重合底板１５及び第２重合側板１６を底板２に重合させて、底板２の各隅部にて各側板を係合させることによって組み立てられる。各側板の係合は、特に制限されることなく、周知の技術を採用するものである。
【００３２】
これにより、収容部は、図１及び図５に示すように、上方が開口された箱体となり、四辺に係合手段となる所定の厚みを有する縁部を備えるものとなる。図に示すように、収容物に重量がある場合等には、底板２に補強板Ｔを載置した状態で組み立ててもよいものである。
【００３３】
蓋体は、収容部の側板に重合される蓋体外側板、収容部の開口を覆う外天板、内天板を備えてなる。そして、蓋体における係合手段は、外天板に対して間隙を有した状態で二重構造となるよう設けられる内天板の一端部を蓋体外側板に近接するよう外天板に設置し、当該一端部と蓋体外側板との間に係合段部を形成することで構成される。
【００３４】
より詳細には、内天板に少なくとも傾斜片を形成し、当該傾斜片の一端部を外天板に設置し、当該一端部と蓋体外側板との間に係合段部を形成することで構成される。本実施例においては、当該蓋体は、図３及び図４に示すように、第１蓋体及び第２蓋体とから構成される。
【００３５】
第１蓋体は、図３に示すように、第２蓋体とその一部が重合する重合片２５を備えるものであり、その他においては両者は略同一の形状からなるものである。以下に、第１蓋体について説明する。
【００３６】
第１蓋体は、展開した状態において、図３に示すように、収容部における開口の略半分の大きさであって略四角状の外天板２４から右方向に重合片２５を連接している。当該重合片２５は、外天板２４の上下端部から収容部における縁部の厚み寸法分が短くなるよう形成される。
【００３７】
また、重合片２５の右方向には、外天板２４より幅寸法が短い当接片２６が形成される。そして、当接片２６の右方向には、傾斜片２７及び貼着片２８が形成され、貼着片２８の右方向には後述の蓋体外側板３３と略同等の長さ寸法を有する蓋体内側板２９が形成される。また、蓋体内側板２９の右方向には、差し込み片３０が形成される。本実施例においては、当接片２６及び傾斜片２７にて内天板を構成する。
【００３８】
ここで、外天板２４の幅寸法は、当接片２６、傾斜片２７及び貼着片２８の夫々の幅寸法を合計したものよりも短く形成される。また、貼着片２８の幅寸法は、収容部における縁部の厚み寸法と略同等に形成される。
【００３９】
また、外天板２４の上下方向には、収容部の側板を覆う第１蓋体側板３１及び第２蓋体側板３２からなる蓋体側板が形成される。本実施例においては、第１蓋体側板３１及び第２蓋体側板３２は略三角形状に形成されるが、略四角形状であってもよく、これに限られるものではない。
【００４０】
一方、外天板２４の左方向には、蓋体内側板２９と略同形状の蓋体外側板３３が形成され、その左方向には収容部に取り付ける際の取付片３４が形成される。また、第１蓋体側板３１と蓋体外側板３３、第２蓋体側板３２と蓋体外側板３３を連結するようにして折返片３５が形成される。当該折返片３５は、略二等分に折曲された状態で蓋体内側板２９と蓋体外側板３３の間隙に収容され、当該蓋体側板の隅部を補強するものである。
【００４１】
このようにして、展開図が形成される第１蓋体は、図１及び図５に示すようにして、外天板２４に対して重合片２５を介して当接片２６及びその先端を折り返し、貼着片２８を外天板２４に貼着する。具体的には、貼着片２８における蓋体内側板２９との境界を外天板２４における蓋体外側板３３との境界近郊に一致させた状態で貼着する。
【００４２】
そして、折返片３５を略二等分に折曲した状態で蓋体内側板２９と蓋体外側板３３の間隙に収容し、蓋体内側板２９を蓋体外側板３３に貼着するとともに、差し込み片３０を蓋体内側板２９と蓋体外側板３３の間隙に収容することで、組み立てられる。
【００４３】
このとき、当接片２６、傾斜片２７及び貼着片２８の夫々の幅寸法の合計寸法を外天板２４の幅寸法より長く形成したことから、当接片２６及び傾斜片２７は、図５に示すように、断面視にて略三角形状を形成するように、外天板２４に対して重合した状態とはならず、間隙を有して撓んだ二重構造の状態となる。
【００４４】
これにより、第１蓋体は、その内側面に傾斜片２７及び貼着片２８からなる段部を形成するものとなり、当該段部は収容部における縁部と係合する係合段部となる。すなわち、当該係合段部は、略Ｌ字状を構成する外天板２４と蓋体外側板３３との境界近郊であって、収容部を閉状態とした際の縁部と対応する位置に形成される。
【００４５】
そして、取付片３４を収容部へと貼着することで第１蓋体を構成する。取付片３４は、本実施例においては、収容部の底板２に貼着されるが、収容部の外側板であってもよいものである。
【００４６】
第２蓋体は、上述のように第１蓋体と略同一の形状からなり、図４に示すように、外天板２４と当接片２６との間に重合片２５を備えない形状としたものであるので、その他の説明は省略する。
【００４７】
組み立てられた包装用箱１は、図１及び図５に示すようにして、収容部に対して第１蓋体及び第２蓋体が対向した状態で取り付けられる、いわゆる観音開き状に構成される。
【００４８】
当該包装用箱１は、第１蓋体及び第２蓋体によって収容部の開口が覆われ、蓋体内側板２９によって第１外側板３、対向位置における第２外側板４が覆われ、第１蓋体側板３１及び第２蓋体側板３２からなる蓋体側板によって第３外側板５、対向位置における第４外側板６が覆われる。すなわち、包装用箱の閉状態においては、収容部と蓋体との係合手段は外観上に現れることなく、美観に優れたものとなる。
【００４９】
当該包装用箱１における蓋体の開閉は、次のようにして行われる。その際、第１蓋体と第２蓋体において、開閉に関する構造は同様であるので、第１蓋体についてのみ説明する。
【００５０】
包装用箱１の開状態から閉状態においては、第１蓋体における蓋体外側板３３と取付片３４との境界を回動中心として、収容部の第１外側板３及び開口を覆うように回動される。そして、所定位置まで回動されると、第１縁部７と内天板とが当接した状態となる。具体的には、第１縁部７の外側角部と当接片２６とが当接した状態となる。
【００５１】
このとき、当接片２６は、外天板２４に対して重合されず、間隙を有した状態で撓んで外天板２４側に弾性力を有していることから、前記回動における同様の作用力では閉状態へと回動させることができない状態となる。
【００５２】
そして、一定以上の回動における作用力を付与させることで、第１縁部７の外側角部にて撓んだ状態の当接片２６を外天板２４側へ押圧して弾性変形させ、傾斜片２７及び貼着片２８からなる係合段部へと第１縁部７を摺動させて誘導し、両者を係合させて第１蓋体を閉状態とする。
【００５３】
当該閉状態においては、当接片２６との境界における傾斜片２７の端部の回動軌跡上に第１縁部７が位置することから、当該状態から開状態へと操作するに際しては、第１縁部７にて傾斜片２７を外天板２４側へ押圧して弾性変形させ、当該係合を解除させて開状態とする。
【００５４】
換言すると、閉状態において、当接片２６との境界における傾斜片２７の端部の回動軌跡上に第１縁部７が位置することから、第１蓋体は容易に開状態となることなく、第１縁部７と係合段部との係合が保持された状態となる。
【００５５】
また、図１に示すように、第１蓋体側板３１、第２蓋体側板３２と撓んだ状態の当接片２６との間隙は縁部収容空間３６とされ、第１蓋体の閉状態において、第３縁部９及び第４縁部１０が収容される。すなわち、縁部収容空間３６は、係合段部と係合する第１縁部７に隣接する各縁部を収容する。
【００５６】
第１蓋体は重合片２５を備えることから、第２蓋体より先に閉状態とされるものである。当該重合片２５は、収容部の略中央部にてその上方から第２蓋体が閉状態とされることで、両者の突き合わせ部をなくすとともに、外観上においても優れたものとする。
【００５７】
以上、説明した本発明に係る包装用箱１によれば、蓋体を回動させる操作と、当該状態から一定以上の作用力を付与して蓋体を閉める操作との二つの操作をもって閉状態とすることから、ユーザは確実に蓋体が閉じられたとの認識を得ることができる。また、収容部の縁部と蓋体の係合段部とが係合していることから、容易に蓋体が開状態となる虞もなくなる。
【実施例２】
【００５８】
本発明に係る包装用箱の実施例２について、図６及び図７に基づいて説明する。本実施例２における包装用箱１ａは、実施例１における構造と略同様であるが、収容部に対して一つの蓋体が取り付けられる、いわゆる片開き状に構成される点で実施例１と相違するものである。詳細につき、以下に説明する。
【００５９】
実施例２における蓋体は、外天板２４及び当接片２６が収容部の開口に対応するよう、実施例１における長さ寸法と比較して長く形成される。これに対応するようにして、第１蓋体側板３１及び第２蓋体側板３２も同様にして形成される。尚、本実施例においては、重合片２５は形成されないものであるが、外天板２４と当接片２６との間に別途差し込み片等を形成してもよいものである。
【００６０】
このようにして構成される実施例２の包装用箱１ａにおいては、実施例１における包装用箱１と略同様の作用及び効果を奏するものであり、片開き状に構成される蓋体によって、収容部が開閉されるものである。
【００６１】
実施例１及び実施例２において、収容部は、上方が開口された箱体となり、四辺に係合手段となる所定の厚みを有する縁部を備えるものであるが、少なくとも一辺に係合手段となる縁部が形成されていればよい趣旨である。よって、残りの三辺においては、係合し得る所定の厚みを有する縁部でなくてもよい。この際、蓋体の縁部収容空間３６を適宜変更することができるのは勿論である。
【００６２】
すなわち、収容部においては、蓋体の係合段部と係合する縁部が少なくとも一辺に形成される形態であればよい趣旨であり、上記実施例に係るものでなくてもよく、周知の上方が開口したものを採用することができるのは勿論である。
【００６３】
また、上記実施例１及び実施例２において、蓋体は、少なくとも外天板２４、内天板、蓋体外側板３３が設けられていればよい。すなわち、外天板２４と蓋体外側板３３とを略Ｌ字状となるよう構成し、外天板２４に対して内天板が間隙を有して二重構造が構成されるとともに、縁部に係合する係合段部が形成されていればよい趣旨である。
【００６４】
よって、傾斜片２７を設けることなく内天板を構成してもよいし、当接片２６、傾斜片２７及び別途構成片を設けて内天板を構成してもよいものであり、断面視にて略三角形状を形成するものに限られるものではなく、略円弧状、その他形状等を形成するものであってもよい。当該略Ｌ字状を支持する為に、第１蓋体側板３１及び第２蓋体側板３２からなる蓋体側板が設けられていれば、より望ましいものである。
【００６５】
更には、外天板２４、当接片２６及び傾斜片２７を連接して設けることなく、夫々分離したものを貼着等するものであってもよい。この際、当接片２６、傾斜片２７及び貼着片２８の夫々の幅寸法の合計寸法を外天板２４の幅寸法より長く形成する必要はなく、上記二つの操作をもって閉状態とするよう幅寸法を適宜設定すればよい。
【００６６】
より詳細には、閉状態において、当接片２６との境界における傾斜片２７の端部の回動軌跡上に縁部が配置されるよう設定することで、蓋体を閉める操作に関する作用力が大きくなるよう設定することができる。
【００６７】
また、断面視にて略三角形状が形成される間隙内の外天板２４に貼着片２８を貼着してもよい。更には、貼着片２８を設けることなく、傾斜片２７の端部を外天板２４に貼着してもよい。いずれの場合においても、蓋体外側板３３に近接するよう配置される傾斜片２７と蓋体外側板３３との間に係合段部が形成されることとなる。すなわち、収容部の縁部と係合し得る幅寸法を確保した状態で貼着されてあればよいものである。
【００６８】
更に、実施例１において、第１蓋体には重合片２５が形成されるものであったが、第１蓋体には形成せず第２蓋体に形成してもよいし、その両者に形成しなくてもよいものである。
【００６９】
また、上記実施例１において、取付片３４を底板２に貼着した際には、外観上の美観を向上させることから、取付片３４を底板２の略半分の大きさとし、第１蓋体及び第２蓋体の取付片３４にて底板２の全面を覆うよう貼着するものであってもよい。また、両者の形状を異にして底板２に貼着するものであってもよい。
【００７０】
更に、実施例２においては、取付片３４を底板２に貼着した際には、外観上の美観を向上させることから、取付片３４を底板２の略同等の大きさとし、底板２の全面を覆うよう貼着するものであってもよい。
【００７１】
その他、形状、寸法、材質等を適宜変更して実施することが可能である。また、一部構成を省略することができるし、一部抽出した構成とすることができるのは勿論である。
【符号の説明】
【００７２】
１、１ａ  包装用箱
２      底板
３、４、５、６  外側板
７、８、９、１０  縁部
１１、１２、１３、１４  内側板
１５、１６、１７、１８  重合側板
１９    支持片
２０、２１  係合側板
２２    切込部
２３    折返片
２４    外天板
２５    重合片
２６    内天板
２７    傾斜片
２８    貼着片
２９    蓋体内側板
３０    差し込み片
３１、３２  蓋体側板
３３    蓋体外側板
３４    取付片
３５    折返片
３６    縁部収容空間
Ｔ      補強板
【図１】
2014118158.tif 000003
【図２】
2014118158.tif 000004
【図３】
2014118158.tif 000005
【図４】
2014118158.tif 000006
【図５】
2014118158.tif 000007
【図６】
2014118158.tif 000008
【図７】
2014118158.tif 000009